(57)【要約】    【課題】  作成する文章の参考になる単語や文節が即座に出てこないという不具合を解消し、情報編集の際の操作性の向上等を可能とした情報処理装置、情報処理システム、制御方法、及びプログラムを提供する。    【解決手段】  携帯電話機１は、通信部２０、ＣＰＵ２９、外部入力予測辞書３８を備える。プリンタ２は、通信部１４、電子アルバム印刷用予測辞書記憶部１７、絵葉書用予測辞書記憶部１８を備える。携帯電話機１のＣＰＵ２９は、撮影画像に付加する文章の入力に用いる電子アルバム印刷用予測辞書または絵葉書用予測辞書をプリンタ２から取得し、外部入力予測辞書３８に記憶する。また、携帯電話機１のＣＰＵ２９は、外部入力予測辞書３８に記憶された予測辞書を用いてユーザが文章入力を行った際に、文章入力に用いた単語や文節を参考にして学習処理を行い、外部入力予測辞書３８の記憶内容を修正する。【選択図】      図２
2006313435.tif 000002
【特許請求の範囲】
【請求項１】
編集補助情報を記憶した外部の情報処理装置と通信可能な情報処理装置であって、
情報の編集に適応する編集補助情報を前記外部の情報処理装置から取得する取得手段と、
前記取得手段により取得した編集補助情報を記憶する記憶手段と、
前記編集補助情報を用いて情報の編集を行う編集手段と、
前記編集手段による情報の編集に用いた編集補助情報の学習処理を行い、前記記憶手段の記憶内容に反映させる学習処理手段と、を備えることを特徴とする情報処理装置。
【請求項２】
画像の撮影を行う撮像手段を更に備え、
前記取得手段は、撮影画像に前記情報としての文章を付加して前記外部の情報処理装置で印刷する際に、撮影画像に付加する文章の編集に使用し且つ編集モードの種類に対応する前記編集補助情報としての複数の単語或いは文節を含む辞書情報を、前記外部の情報処理装置から取得することを特徴とする請求項１記載の情報処理装置。
【請求項３】
前記編集モードは、電子メール作成モード、電子アルバム形式印刷モード、絵葉書形式印刷モードを含む群から選択されることを特徴とする請求項２記載の情報処理装置。
【請求項４】
前記取得手段は、前記外部の情報処理装置で前記情報としてのメッセージを表示する際に、前記メッセージの編集に使用する前記編集補助情報としての複数の単語或いは文節を含む辞書情報を、前記外部の情報処理装置から取得することを特徴とする請求項１記載の情報処理装置。
【請求項５】
画像の撮影を行う撮像手段を更に備え、
前記取得手段は、撮影画像に前記情報としての文章を付加して前記外部の情報処理装置で印刷する際に、撮影画像に付加する文章の編集に使用し且つ撮影画像の種類に対応する前記編集補助情報としての複数の単語或いは文節を含む辞書情報を、前記外部の情報処理装置から取得することを特徴とする請求項１記載の情報処理装置。
【請求項６】
画像の撮影を行う撮像手段を更に備え、
前記取得手段は、撮影画像に背景画像を付加する際に、撮影画像の種類に対応する前記編集補助情報としての背景画像を、前記外部の情報処理装置から取得することを特徴とする請求項１記載の情報処理装置。
【請求項７】
画像の撮影を行う撮像手段を更に備え、
前記取得手段は、撮影画像に前記情報としての文章を付加して前記外部の情報処理装置で印刷する際に、撮影画像に付加する文章の編集に使用し且つ前記外部の情報処理装置に送信した電子メールアドレスに対応する前記編集補助情報としての複数の単語或いは文節を含む辞書情報と画像用テンプレートを、前記外部の情報処理装置から取得することを特徴とする請求項１記載の情報処理装置。
【請求項８】
前記情報としての文章と、前記編集補助情報としての単語或いは文節を表示する表示手段と、
前記編集手段による文章の編集に応じて、前記表示手段に表示する単語或いは文節を前記辞書情報から検索し表示する表示制御手段とを更に備えることを特徴とする請求項１、２、４、５、７の何れかに記載の情報処理装置。
【請求項９】
前記表示制御手段は、前記編集手段による文章編集前の状態で、前記表示手段に表示する単語或いは文節を前記辞書情報から検索し表示することを特徴とする請求項８記載の情報処理装置。
【請求項１０】
前記撮像手段により撮影した画像と前記編集手段による編集結果を前記外部の情報処理装置に転送する転送手段を更に備えることを特徴とする請求項１、２、５、６、７の何れかに記載の情報処理装置。
【請求項１１】
前記情報処理装置は、携帯電話機、携帯情報端末、撮像装置を含む群から選択されることを特徴とする請求項１乃至１０の何れかに記載の情報処理装置。
【請求項１２】
情報の編集を行う外部の情報処理装置と通信可能な情報処理装置であって、
情報の編集に使用する編集補助情報を格納する格納手段と、
前記外部の情報処理装置からの要求に対応した、前記格納手段に格納されている編集補助情報を前記外部の情報処理装置に提供する提供手段と、を備えることを特徴とする情報処理装置。
【請求項１３】
前記外部の情報処理装置から送信された編集モードの種類を判別する判別手段を更に備え、
前記提供手段は、前記判別手段により判別した編集モードに対応する編集補助情報を前記外部の情報処理装置に提供することを特徴とする請求項１２記載の情報処理装置。
【請求項１４】
前記外部の情報処理装置から送信された画像の種類を認識する画像認識手段を更に備え、
前記提供手段は、前記画像認識手段により認識した画像の種類に対応する編集補助情報を前記外部の情報処理装置に提供することを特徴とする請求項１２記載の情報処理装置。
【請求項１５】
前記外部の情報処理装置から送信された電子メールアドレスを認識する番号認識手段を更に備え、
前記提供手段は、前記番号認識手段により認識した電子メールアドレスに対応する編集補助情報を前記外部の情報処理装置に提供することを特徴とする請求項１２記載の情報処理装置。
【請求項１６】
前記情報処理装置は、印刷装置、メッセージボード、サーバを含む群から選択されることを特徴とする請求項１２乃至１５の何れかに記載の情報処理装置。
【請求項１７】
前記請求項１乃至１１の何れかに記載の情報処理装置と、前記請求項１２乃至１６の何れかに記載の情報処理装置とを備えることを特徴とする情報処理システム。
【請求項１８】
編集補助情報を記憶した外部の情報処理装置と通信可能な情報処理装置の制御方法であって、
情報の編集に適応する編集補助情報を前記外部の情報処理装置から取得する取得ステップと、
前記取得ステップにより取得した編集補助情報を記憶手段に記憶する記憶ステップと、
前記編集補助情報を用いて情報の編集を行う編集ステップと、
前記編集ステップによる情報の編集に用いた編集補助情報の学習処理を行い、前記記憶手段の記憶内容に反映させる学習処理ステップと、を備えることを特徴とする制御方法。
【請求項１９】
編集補助情報を記憶した外部の情報処理装置と通信可能な情報処理装置の制御方法をコンピュータに実行させるプログラムであって、
情報の編集に適応する編集補助情報を前記外部の情報処理装置から取得する取得モジュールと、
前記取得モジュールにより取得した編集補助情報を記憶手段に記憶する記憶モジュールと、
前記編集補助情報を用いて情報の編集を行う編集モジュールと、
前記編集モジュールによる情報の編集に用いた編集補助情報の学習処理を行い、前記記憶手段の記憶内容に反映させる学習処理モジュールと、を備えることを特徴とするプログラム。
【発明の詳細な説明】
【技術分野】
【０００１】
本発明は、辞書情報を用いた文章入力が可能な携帯端末装置や辞書情報を提供する印刷装置に適用される情報処理装置、情報処理システム、制御方法、及びプログラムに関する。
【背景技術】
【０００２】
近年、携帯端末装置（以下、携帯端末と略称）の発展及び普及は著しく、特に携帯電話機が多数市場に出回っている。携帯電話機は、通常の音声による通話機能だけでなく電子メールの送受信機能などを備えている。携帯電話機において電子メールを作成する際、以前に作成した電子メールの履歴を参考に作成された予測辞書を使うことにより、迅速に電子メールを作成することが可能となっている。
【０００３】
携帯電話機の表示操作系について例えば図３を参照しながら説明する。携帯電話機の表示器５０には、電子メール作成時には例えば図６に示すような表示内容が表示される。電話番号を入力する場合には、キーボード部５１の０〜９の数字キーを用いて入力する。また、電子メールの文章を入力する場合で、“あ行”を入力する際は数値１のキーを押し、“か行”を入力する際は数値２のキーを押すようにしている。以下同様に、“さ行”、“た行”、“な行”、“は行”、“ま行”、“や行”、“ら行”、“わ、を、ん”は、それぞれ、３、４、５、６、７、８、９、０の数字キーに対応している。
【０００４】
携帯電話機における電子メール作成時に、例えば、“今夜”の文字列を入力する場合の第１の方法は、数値２のキーを５回押すことで“こ”を特定し、数値０のキーを３回押すことで”ん”を特定し、数値８のキーを１回押すことで“や”を特定している。その後、漢字変換のため、カーソルキー５２を押すことで、“こんや”の漢字変換結果“今夜”が選択され、決定キー５４を押すことで、“今夜”を入力することができる。この場合は、キーを押す回数が合計１１（＝５+３+１+２）回となる。
【０００５】
“今夜”の文字列を入力する場合の第２の方法は、最近の従来技術で用いられている予測辞書を用いる方法である。数値２のキーを１回押すと、携帯電話機の表示器５０には、図６に示すような“か”の表示６１と、予測画面６０が表示される。この予測画面６０の表示内容は、以前に電子メールで作成した文章の履歴から作成されている。予測候補キー５３を押すと、予測画面６０の“帰ります”が白黒反転表示されて選択される。その後、カーソルキー５２の▽キーを３回押すことで、“今夜”が白黒反転表示されて選択され、決定キー５４を押すことで、“今夜”を入力することができる。この場合は、キーを押す回数が６（＝１＋１＋３＋１）回となり、上記第１の方法における１１回に比べて大幅にキーを押す回数を削減できる。
【０００６】
上記の予測辞書を用いた文字列入力方法（第２の方法）に関する先行技術としては、各種の技術が提案されている（例えば、特許文献１、特許文献２、特許文献３、特許文献４参照）。
【特許文献１】特開２００１−２４２９９２号公報
【特許文献２】特開２００１−２４９９３３号公報
【特許文献３】特開２００１−３２５２５２号公報
【特許文献４】特開２００２−２５９３６７号公報
【発明の開示】
【発明が解決しようとする課題】
【０００７】
ところで、最近の携帯電話機機は、例えば図３に示すようなカメラ部２４を装備することで撮像機能を備えるようになってきている。また、携帯電話機は、Bluetooth（登録商標）規格などによる近距離無線通信機能を備えるなど高機能化している。また、この種の携帯電話機は、メモリカードや近距離無線通信機能を用いて、撮影画像をプリンタやパーソナルコンピュータ（以下ＰＣ）に転送することが可能であり、撮影画像の印刷やＰＣによる編集／保存が可能となってきている。
【０００８】
撮影画像をプリンタで印刷する場合やＰＣで処理する場合、携帯電話機から撮影画像をそのままプリンタやＰＣに転送することで印刷や表示を行うことも考えられるが、ユーザの嗜好により、撮影画像に関連するメッセージやコメントを撮影画像に追加して印刷を行うことが要望される場合もある。また、携帯電話機において上記メッセージやコメント等の文章を入力する場合、携帯電話機に装備されているキーの数が少ないため、電子メールと同様に予測辞書を用いて文章を入力する方法が考えられる。
【０００９】
携帯電話機で撮影した画像をプリンタで印刷する場合の例として、例えば図４に示すように写真とコメントを対応付けた電子アルバム形式の印刷がある。写真７０に関するコメントとしては、文章７１のような内容が考えられる。電子アルバムに記載する文章には、電子メールで頻繁に使用する文章とは異なる内容の単語や文節が頻繁に出てきており、例えば、家族、観光、旅行、きれい等の単語が優先度の高い単語となっている。
【００１０】
しかしながら、従来の携帯電話機においては、電子メールで使用する予測辞書を用いて撮影画像に関連するメッセージやコメント等の文章を作成する場合、作成する文章の参考になる予測単語や予測文節がなかなか出てこないという問題があった。
【００１１】
本発明の目的は、作成する文章の参考になる単語や文節が即座に出てこないという不具合を解消し、情報編集の際の操作性の向上等を可能とした情報処理装置、情報処理システム、制御方法、及びプログラムを提供することにある。
【課題を解決するための手段】
【００１２】
上述の目的を達成するために、本発明の情報処理装置は、編集補助情報を記憶した外部の情報処理装置と通信可能な情報処理装置であって、情報の編集に適応する編集補助情報を前記外部の情報処理装置から取得する取得手段と、前記取得手段により取得した編集補助情報を記憶する記憶手段と、前記編集補助情報を用いて情報の編集を行う編集手段と、前記編集手段による情報の編集に用いた編集補助情報の学習処理を行い、前記記憶手段の記憶内容に反映させる学習処理手段と、を備えることを特徴とする。
【００１３】
上述の目的を達成するために、本発明の情報処理装置は、情報の編集を行う外部の情報処理装置と通信可能な情報処理装置であって、情報の編集に使用する編集補助情報を格納する格納手段と、前記外部の情報処理装置からの要求に対応した、前記格納手段に格納されている編集補助情報を前記外部の情報処理装置に提供する提供手段と、を備えることを特徴とする。
【発明の効果】
【００１４】
本発明によれば、情報処理装置で情報の編集を行う際に、情報の編集に適応する編集補助情報としての辞書情報を外部の情報処理装置から取得して情報の編集を行うので、従来のように作成する文章の参考になる単語や文節が即座に出てこないという不具合を解消できる。これにより、情報編集（文章入力）の際のキー入力回数を低減することが可能となり、操作性を向上させることが可能となる。
【００１５】
また、情報編集に用いた編集補助情報の学習処理を行い、記憶手段の記憶内容を修正するので、次回の情報編集時における操作性を向上させることが可能となる。
【００１６】
また、情報編集を行う情報処理装置内に多量の辞書情報を備えておくことが不要となるので、メモリの記憶容量の削減が可能となる。特に、メモリ等の半導体チップの搭載個数や表示領域面積等に制約がある、情報処理装置としての携帯電話機の小型軽量化を図ることが可能となる。
【００１７】
また、編集補助情報としての辞書情報を外部の情報処理装置に格納しておくので、情報処理装置としての携帯電話機を新規に購入した場合や買い換えた場合においても、辞書情報を継続して使用することが可能となる。また、家族内の複数の携帯電話機間で辞書情報を共有することが可能となる。
【００１８】
また、情報処理装置において、個々の編集モード（電子メール作成モード、電子アルバム形式印刷モード、絵葉書形式印刷モード）に即した文章入力が可能となる。
【００１９】
また、情報処理装置で撮影した画像を外部の情報処理装置で印刷する場合に、撮影画像に付加する文章や背景画像やテンプレートを外部の情報処理装置から取得して撮影画像と合成することが可能となり、ユーザの嗜好を満足することが可能となる。
【００２０】
また、情報処理装置における情報編集に応じて、表示手段に表示する単語或いは文節を辞書情報から検索し表示するので、同様に操作性を向上させることが可能となる。
【００２１】
また、情報処理装置における情報編集前の状態で、表示手段に表示する単語或いは文節を辞書情報から検索し表示するので、同様に操作性を向上させることが可能となる。
【発明を実施するための最良の形態】
【００２２】
以下、本発明の実施の形態を図面を参照して説明する。
【００２３】
［第１の実施の形態］
図１は、本実施の形態に係る情報処理装置としての携帯電話機の使用例を示す概略図である。
【００２４】
図１において、携帯電話機１は、音声通話機能、電子メール送受信機能、撮像機能を備えている。携帯電話機１は、無線通信の標準規格である無線ＬＡＮやBluetooth（登録商標）規格に基づいた通信方法や、ＬＡＮやＵＳＢ（Universal Serial Bus）等の有線通信規格に基づいた通信方法により、プリンタ２、ＰＣ３、メッセージボード４との間で、電子メールや撮影画像データの送受信を行うことができる。
【００２５】
また、携帯電話機１は、携帯電話回線網５を介して他の携帯電話機６との間で、音声通話、電子メールの送受信、撮影画像データの送受信を行うことができる。また、携帯電話機１は、携帯電話回線網５に接続されたインターネット７を経由してサーバ８に接続し、サーバ８からニュース情報などを取得することができると共に、インターネット７を経由してＰＣ３との間で、電子メール等の情報の送受信を行うことができる。上述のように、携帯電話機１は、様々な機器と情報交換が可能である。
【００２６】
本実施の形態では、携帯電話機１とプリンタ２との間でBluetooth（登録商標）規格に基づいた無線通信により情報交換を行い、図４に示すように写真画像と文章を電子アルバム形式で印刷する電子アルバム印刷や、図５に示すように写真画像と文章を絵葉書形式で印刷する絵葉書印刷を行う場合について説明する。
【００２７】
図２は、本実施の形態に係る情報処理システムの構成を示すブロック図である。
【００２８】
図２において、情報処理システムは、携帯電話機１とプリンタ２とがBluetooth（登録商標）規格に基づいた無線通信を行うシステムとして構成されている。携帯電話機１は、通信部２０、通信制御部２１、表示部２２、入力部２３、カメラ部２４、画像処理部２５、アンテナ２６、電話回線・通信部２７、音声処理部２８、ＣＰＵ２９、メモリ３３を備えている。プリンタ２は、プリントエンジン１０、印刷制御部１１、印刷画像処理部１２、電源部１３、通信部１４、通信制御部１５、フォント記憶部１６、電子アルバム印刷用予測辞書記憶部１７、絵葉書用予測辞書記憶部１７、画像記憶部１９を備えている。
【００２９】
プリンタ２において、プリントエンジン１０は、インクジェットヘッド、キャリッジ移動機構、紙送り機構、回復機構等から構成されており、電子アルバム印刷モード、絵葉書印刷モードを備えている。プリントエンジン１０は、電子アルバム印刷モードによる電子アルバム印刷（図４参照）、絵葉書印刷モードによる絵葉書印刷（図５参照）が可能であり、カラーインクジェット印刷技術を用いて印刷を行う。
【００３０】
なお、本実施の形態では、プリンタ２が電子アルバム印刷モードと絵葉書印刷モードを備える場合を例に挙げるが、単に電子メール等を印刷する印刷モードや、電子メールに添付される画像を印刷する印刷モードを備えてもよい。プリンタ２が携帯電話機１の指令により電子メールを印刷するようにしてもよく、また、ＰＣ３やサーバ８と接続することにより文章や作表書類を印刷するようにしてもよい。
【００３１】
印刷制御部１１は、インクジェットヘッドを駆動する印刷信号や、キャリッジ移動機構や紙送り機構に装備されたモータに通電を行うための通電信号などを、プリントエンジン１０に供給する。印刷画像処理部１２は、通信制御部１５の制御により通信部１４を介して携帯電話機１から受信した画像データと文章データを合成し、プリントエンジン１０により電子アルバム形式の印刷を行う際の画像（図４）や、絵葉書形式の印刷を行う際の画像（図５）の作成を制御する。電源部１３は、プリンタ各部に電源を供給する。
【００３２】
通信部１４は、Bluetooth（登録商標）の無線通信規格に従い、携帯電話機１から送信されてきた画像データや文章データを受信し、また、携帯電話機１でユーザが文章入力する時に必要な予測辞書（電子アルバム印刷用予測辞書、絵葉書用予測辞書）を携帯電話機１に送信する。通信制御部１５は、携帯電話機１とのコミュニケーションを制御する。コミュニケーションの手順については、図９及び図１０のフローチャートの説明と共に後述する。フォント記憶部１６は、携帯電話機１から文章データが文字コードで送信されてきた際に、その文字コードを印刷のためのビットマップデータに変換するフォント情報を記憶している。
【００３３】
電子アルバム印刷用予測辞書記憶部１７は、携帯電話機１からの指令によりプリンタ２を用いて図４に示す電子アルバム印刷を行う時に、プリンタ２から携帯電話機１に送信する電子アルバム印刷用予測辞書を記憶している。電子アルバム印刷用予測辞書は、携帯電話機１においてユーザが文章データを入力する時の補助とするように、後述する携帯電話機１のメモリ３３に記憶される。
【００３４】
絵葉書用予測辞書記憶部１８は、携帯電話機１からの指令によりプリンタ２を用いて図５に示す絵葉書印刷を行う時に、プリンタ２から携帯電話機１に送信する絵葉書用予測辞書を記憶している。絵葉書用予測辞書は、携帯電話機１においてユーザが文章データを入力する時の補助とするように、後述する携帯電話機１のメモリ３３に記憶される。
【００３５】
画像記憶部１９は、携帯電話機１で撮影され圧縮処理された画像データを通信制御部１５の制御により記憶すると共に、印刷画像処理部１２の制御により伸張処理された画像データや文章データと合成した画像データを記憶する。また、プリンタ２は、プリンタ全体の制御を司る制御部（不図示）を備えており、プログラムに基づき図９及び図１０のフローチャートにおけるプリンタ側の処理を実行する。
【００３６】
携帯電話機１において、通信部２０は、Bluetooth（登録商標）の無線通信規格に従い、画像データや文章データをプリンタ２に送信し、また、プリンタ２から送信される予測辞書（電子アルバム印刷用予測辞書、絵葉書用予測辞書）を受信する。通信制御部２１は、プリンタ２とのコミュニケーションを制御する。なお、コミュニケーション手順については、図９及び図１０のフローチャートにおいて後述する。
【００３７】
電話回線・通信部２７は、電話通話機能を司るものであり、携帯電話機１と外部の電話機（携帯電話機、固定電話機）との間の音声通話時に、アンテナ２６から電波を発することで音声通話を可能とする。また、電話回線・通信部２７は、携帯電話機１が他の携帯電話機と電子メールの送受信を行う時は、メールアドレスと共に文章データに基づき、無線通信により文章データの送受信を行う。音声処理部２８は、音声通話の処理を行う。
【００３８】
ＣＰＵ２９は、携帯電話機全体の制御を司るものであり、ユーザが電子メールを作成する場合や撮影画像に関連した文章を作成する場合に必要な、仮名漢字変換処理３０、予測辞書検索処理３１、学習処理３２等を行う。また、ＣＰＵ２９は、プログラムに基づき図９及び図１０のフローチャートにおける携帯電話機側の処理を実行する。なお、ＣＰＵ２９の処理手順については、図９及び図１０のフローチャートにおいて後述する。
【００３９】
表示部２２は、図３に示すカラーＬＣＤ技術を用いた表示を行う表示器５０と、表示器５０を駆動する駆動回路等から構成されている。表示部２２は、外部から受信した電子メールや携帯電話機１で撮影した写真画像を表示すると共に、ユーザによる文章入力時に予測文節や入力内容を表示する。入力部２３は、電話番号や文章の入力、撮影の開始指示等に用いるものであり、図３に示すキーボード部５１、カーソルキー５２、予測候補キー５３、決定キー５４、シャッタ５５を含んでいる。
【００４０】
カメラ部２４は、図３に示すように携帯電話機１の筐体上部に装備されており、レンズ機構や光電変換素子であるＣＣＤ等から構成されている。画像処理部２５は、ユーザがシャッタ５５を押した時に、カメラ部２４により撮像処理を行わせ、カメラ部２４のＣＣＤで光電変換されたイメージデータを基に画像処理やデータ圧縮処理等を行い、画像処理後の画像データを後述するメモリ３３に格納するように制御する。
【００４１】
メモリ３３は、データの書き込み／読み出しをランダムアドレスで指定可能な、フラッシュメモリやＲＡＭ等の半導体メモリとして構成されている。メモリ３３は、アドレス帳記憶部３４、メール記憶部３５、画像記憶部３６、メール用予測辞書３７、外部入力予測辞書３８、仮名漢字変換辞書３９等から構成されている。
【００４２】
アドレス帳記憶部３４は、メールアドレスや電話番号を名前と共に記憶する。メール記憶部３５は、外部から受信した電子メール、外部に送信した電子メールを記憶する。画像記憶部３６は、カメラ部２４を用いて撮像した画像に対し画像処理部２５で加工処理した画像データを記憶する。メール用予測辞書３７は、電子メール作成時の文章作成の補助となる予測辞書を記憶する。外部入力予測辞書３８は、画像を電子アルバム印刷する時や絵葉書印刷する時の文章作成の補助となる、プリンタ２から受信した予測辞書を記憶する。仮名漢字変換辞書３９は、ユーザが文章入力時にカーソルキー５２を押したときに仮名漢字変換する辞書を記憶している。
【００４３】
上記の外部入力予測辞書３８は、本実施の形態の特徴的な記憶ユニットである。プリンタ２により電子アルバム印刷を行う場合に、ユーザが携帯電話機１から電子アルバム用の文章を入力する時は、プリンタ２から電子アルバム印刷用予測辞書記憶部１７に記憶されている電子アルバム印刷用予測辞書を通信部２０により受信し、電子アルバム印刷に関連した文章入力に最適な予測辞書として外部入力予測辞書３８に記憶する。
【００４４】
また、プリンタ２により絵葉書印刷を行う場合に、ユーザが携帯電話機１から絵葉書用の文章を入力する時は、プリンタ２から絵葉書用予測辞書記憶部１８に記憶されている絵葉書用予測辞書を通信部２０により受信し、絵葉書印刷に関連した文章入力に最適な予測辞書として外部入力予測辞書３８に記憶する。なお、携帯電話機１とプリンタ２で行われる、電子アルバム印刷及び絵葉書印刷の処理手順については、図９及び図１０のフローチャートにおいて後述する。
【００４５】
次に、本実施の形態の情報処理システムにおいて予測辞書を用いて文章入力する場合の例を図４乃至図１０を参照しながら説明する。
【００４６】
図６は、携帯電話機１で電子メールを作成する際の表示内容を示す図である。
【００４７】
図６において、携帯電話機１で電子メールの文章を入力する場合、ユーザが携帯電話機１の入力部２３のキーボード部５１の数値２のキーを押したと仮定する。これに伴い、ＣＰＵ２９は、文字“か”を表示部２２の本文表示画面６１に表示し、文字“か”に対応した予測文節（帰ります、会、海外、・・・）を表示部２２の予測辞書表示画面６０に表示する。この表示内容は、携帯電話機１から過去に送信した電子メールを学習して作成されたメール用予測辞書３７を、ＣＰＵ２９がメモリ３３から検索して表示している。
【００４８】
図４は、電子アルバム印刷時の印刷例を示す図である。
【００４９】
図４において、電子アルバム印刷においては、画像７０、７２、７４の印刷と共にそれぞれ文章７１、７３、７５を印刷することで、画像に関する適切なコメントを記録するようにしている。
【００５０】
図７は、電子アルバム印刷・コメント入力時の表示内容を示す図である。
【００５１】
図７において、携帯電話機１で電子アルバム印刷用の文章を入力する場合、ユーザが携帯電話機１の入力部２３のキーボード部５１の数値２のキーを押したと仮定する。これに伴い、ＣＰＵ２９は、文字“か”を表示部２２の本文表示画面６３に表示し、文字“か”に対応した予測文節（家族、観光、貸し、・・・）を表示部２２の予測文節表示画面６２に表示する。この表示内容は、携帯電話機１で過去に電子アルバム印刷用文章を入力した際、学習して作成された電子アルバム印刷用予測辞書を、ＣＰＵ２９がメモリ３３から検索して表示している。
【００５２】
例えば、ユーザが携帯電話機１で図４の画像７０に対応した文章７１を入力する際、か行の文節は“観光”“来ました。”“きれいです。”があり、それらは、予測文節表示画面６２に表示されている。これにより、キーの押し下げ回数を少なくすることが可能となる。同様に、ユーザが図４の画像７２に対応した文章７３を入力する際、か行の文節は“貸し別荘”“きれい”があり、それらは、予測文節表示画面６２に表示されている。また、図４の画像７４に対応した文章７５を入力する際、か行の文節は“結構”があり、それは、予測文節表示画面６２に表示されている。
【００５３】
このように、本実施の形態では、プリンタ２による電子アルバム印刷時に、携帯電話機１においてプリンタ２から取得した専用の電子アルバム印刷用予測辞書を携帯電話機１での文章入力の補助とする。これにより、電子アルバム印刷における画像７０、７２、７４にそれぞれ対応した文章７１、７３、７５を携帯電話機１で迅速に入力できるようにしている点が特徴の一つである。
【００５４】
図５は、絵葉書印刷時の印刷例を示す図である。
【００５５】
図５において、絵葉書印刷においては、画像７６の印刷と共に友人へのメッセージ７７を印刷するようにしている。
【００５６】
図８は、絵葉書印刷・コメント入力時の表示内容を示す図である。
【００５７】
図８において、携帯電話機１で絵葉書印刷用の文章を入力する際、ユーザが携帯電話機１の入力部２３のキーボード部５１の数値２のキーを押したと仮定する。これに伴い、ＣＰＵ２９は、文字“か”を表示部２２の本文表示画面６５に表示し、文字“か”に対応した予測文節を表示部２２の予測文節表示画面６４に表示する。この表示内容は、携帯電話機１で過去に絵葉書印刷用文章を入力した際、学習して作成された絵葉書印刷用予測辞書を、ＣＰＵ２９がメモリ３３から検索して表示している。
【００５８】
例えば、ユーザが携帯電話機１で図５の画像７６に対応した文章７７を入力する際、か行の文節は“ゴールデンウィーク”“家族旅行で”“きれいです。”“今日の天気は”“来てよかった”があり、それらは、予測文節表示画面６４に表示されている。これにより、キーの押し下げ回数を少なくすることが可能となる。
【００５９】
このように、本実施の形態では、プリンタ２による絵葉書印刷時に、携帯電話機１においてプリンタ２から取得した専用の絵葉書印刷用予測辞書を携帯電話機１での文章入力の補助とする。これにより、絵葉書印刷における画像７６に対応した文章７７を迅速に携帯電話機１で入力できるようにしている点が特徴の一つである。
【００６０】
次に、本実施の形態の情報処理システムにおける電子アルバム印刷や絵葉書印刷を行う場合の処理について、図９及び図１０のフローチャートを参照しながら説明する。
【００６１】
図９及び図１０は、携帯電話機１及びプリンタ２における処理の流れを示すフローチャートである。
【００６２】
図９及び図１０において、左側のステップＳ１０１〜ステップＳ１１２の処理が携帯電話機１で実行される処理を示し、右側のステップＳ１２１〜ステップＳ１３３の処理がプリンタ２で実行される処理を示す。また、左側のステップと右側のステップとの間に図示した破線は携帯電話機及びプリンタ間の通信を示す。
【００６３】
ユーザが携帯電話機１のシャッタ５５を押すことによりカメラ部２４で被写体の写真撮影を行うと、携帯電話機１のＣＰＵ２９は、カメラ部２４により光電変換された撮像データに対し画像処理部２５により画像処理を行い、メモリ３３の画像記憶部３６に画像データとして記憶する（ステップＳ１０１）。次に、携帯電話機１のＣＰＵ２９は、画像データを無線通信規格の一つであるBluetooth規格で通信部２０によりプリンタ２に送信する（ステップＳ１０２）。
【００６４】
プリンタ２は、携帯電話機１から送信された画像データを通信部１４により受信し（ステップＳ１２１）、画像記憶部１９に記憶する（ステップＳ１２２）。次に、プリンタ２は、プリンタ２で実行可能な印刷モードの種類を示す情報を通信部１４により携帯電話機１に送信する（ステップＳ１２３）。本実施の形態では、印刷モードの種類を示す情報として電子アルバム印刷モードを示す情報と絵葉書印刷モードを示す情報を送信するものとする。
【００６５】
携帯電話機１のＣＰＵ２９は、プリンタ２から送信された印刷モードの種類を示す情報を通信部２０により受信し（ステップＳ１０３）、印刷モードの種類を表示部２２に表示し、いずれの印刷モードで印刷するかをユーザに選択するよう促す（ステップＳ１０４）。次に、携帯電話機１のＣＰＵ２９は、ユーザにより選択された印刷モードを示す情報を通信部２０によりプリンタ２に送信する（ステップＳ１０５）。
【００６６】
プリンタ２は、携帯電話機１から送信された選択された印刷モードを示す情報を通信部１４により受信し（ステップＳ１２４）、選択された印刷モードが電子アルバム印刷モードであるか絵葉書印刷モードであるかを判別する（ステップＳ１２５）。プリンタ２は、選択された印刷モードが絵葉書印刷モードであると判断した場合は、絵葉書用予測辞書記憶部１８に記憶されている絵葉書用予測辞書を通信部１４により携帯電話機１に送信する（ステップＳ１２６）。他方、プリンタ２は、選択された印刷モードが電子アルバム印刷モードであると判断した場合は、電子アルバム印刷用予測辞書記憶部１７に記憶されている電子アルバム印刷用予測辞書を通信部１４により携帯電話機１に送信する（ステップＳ１２７）。
【００６７】
携帯電話機１のＣＰＵ２９は、プリンタ２から送信された絵葉書用予測辞書または電子アルバム印刷用予測辞書を通信部２０により受信すると（ステップＳ１０６）、受信した絵葉書用予測辞書または電子アルバム印刷用予測辞書をメモリ３３の外部入力予測辞書３８に記憶する（ステップＳ１０７）。
【００６８】
携帯電話機１のＣＰＵ２９は、外部入力予測辞書３８に記憶された予測辞書に従い、ユーザによる入力部２３からのキー入力に応じた本文表示画面及び予測文節表示画面（電子アルバム印刷モードの場合は図７、絵葉書印刷モードの場合は図８）を表示部２２に表示する。これにより、ユーザは予測候補キー５３を押しながら上述した手順で簡単に文節を選択して文章入力を行っていく（ステップＳ１０８）。次に、携帯電話機１のＣＰＵ２９は、ユーザによる文章入力か終了したか否かを判別する（ステップＳ１０９）。携帯電話機１のＣＰＵ２９は、ユーザによる文章入力が終了したと判断した場合は、入力情報（文章）を通信部２０によりプリンタ２に送信する（ステップＳ１１０）。
【００６９】
プリンタ２は、携帯電話機１から送信された入力情報（文章）を通信部１４により受信し（ステップＳ１２８）、画像処理部１２により入力情報に対し画像レイアウトや合成処理等を行い、印刷制御部１１の制御によりプリントエンジン１０で印刷モード（電子アルバム印刷モードもしくは絵葉書印刷モード）に応じた印刷を実行する（ステップＳ１２９）。これにより、電子アルバム印刷（図４）もしくは絵葉書印刷（図５）による印刷出力（画像及び文章）を得ることができる。
【００７０】
携帯電話機１のＣＰＵ２９は、ユーザが表示部２２及び入力部２３を介して文章入力時に用いた予測辞書の単語や文節を参考にして学習処理を行い、学習内容をメモリ３３の外部入力予測辞書３８に反映させる（外部入力予測辞書３８の記憶内容を修正する）（ステップＳ１１１）。ここで、学習処理とは、今回の文章入力時における単語や文節の入力回数を記憶し、次回の文章入力時に表示部２２に表示する単語や文節の決定などを行う処理である。次に、携帯電話機１のＣＰＵ２９は、外部入力予測辞書３８の修正した記憶内容を通信部２０によりプリンタ２に送信する（ステップＳ１１２）。
【００７１】
プリンタ２は、携帯電話機１から送信された外部入力予測辞書３８の修正した記憶内容を通信部１４により受信し（ステップＳ１３０）、上記ステップＳ１２９で実行した印刷の印刷モードが電子アルバム印刷モードであるか絵葉書印刷モードであるかを判別する（ステップＳ１３１）。プリンタ２は、電子アルバム印刷モードであると判断した場合は、外部入力予測辞書３８の修正した記憶内容を電子アルバム印刷用予測辞書記憶部１７に記憶する（ステップＳ１３２）。他方、プリンタ２は、絵葉書印刷モードであると判断した場合は、外部入力予測辞書３８の修正した記憶内容を絵葉書用予測辞書記憶部１８に記憶する（ステップＳ１３３）。
【００７２】
本実施の形態では、上述したように、プリンタ２の電子アルバム印刷用予測辞書記憶部１７に記憶された電子アルバム印刷用予測辞書、絵葉書用予測辞書記憶部１８に記憶された絵葉書用予測辞書のうち、携帯電話機１で選択された印刷モードに対応した予測辞書を携帯電話機１に送信し、携帯電話機１のユーザに対する快適な文章入力環境の提供を実現している。
【００７３】
以上説明したように、本実施の形態によれば、携帯電話機で文章入力を行う際に、文章入力に適応する予測辞書をプリンタから取得して文章入力を行うので、従来のように作成する文章の参考になる単語や文節が即座に出てこないという不具合を解消できる。これにより、文章入力の際のキー入力回数を低減することが可能となり、操作性を向上させることが可能となる。
【００７４】
また、文章入力に用いた単語や文節の学習処理を行い、外部入力予測辞書３８の記憶内容を修正するので、次回の情報編集時における操作性を向上させることが可能となる。
【００７５】
また、携帯電話機内に多量の予測辞書を備えておくことが不要となるので、メモリの記憶容量の削減が可能となる。特に、メモリ等の半導体チップの搭載個数や表示領域面積等に制約がある携帯電話機の小型軽量化を図ることが可能となる。
【００７６】
また、予測辞書を携帯電話機外部のプリンタに格納しておくので、携帯電話機を新規に購入した場合や買い換えた場合においても、予測辞書を継続して使用することが可能となる。また、家族内の複数の携帯電話機間で予測辞書を共有することが可能となる。
【００７７】
また、携帯電話機において、個々の編集モード（電子メール作成モード、電子アルバム形式印刷モード、絵葉書形式印刷モード）に即した文章入力が可能となる。
【００７８】
また、携帯電話機で撮影した画像をプリンタで印刷する場合に、印刷モードの種類に対応した予測辞書をプリンタから取得して撮影画像と合成することが可能となり、ユーザの嗜好を満足することが可能となる。
【００７９】
また、携帯電話機における文章入力に応じて、表示部２２に表示する単語或いは文節を予測辞書から検索し表示するので、同様に操作性を向上させることが可能となる。
【００８０】
また、携帯電話機における文章入力操作前の状態で、表示部２２に表示する単語或いは文節を辞書情報から検索し表示するので、同様に操作性を向上させることが可能となる。
【００８１】
［第２の実施の形態］
本発明の第２の実施の形態は、上述した第１の実施の形態に対して、携帯電話機とメッセージボードを通信可能に構成すると共に、メッセージボードに表示するメッセージを携帯電話機から入力する点において相違する。本実施の形態のその他の要素は、上述した第１の実施の形態の対応するものと同一なので、説明を省略する。
【００８２】
図１１は、本実施の形態に係る情報処理システムの構成を示すブロック図である。
【００８３】
図１１において、情報処理システムは、携帯電話機１とメッセージボード４とがBluetooth（登録商標）規格に基づいた無線通信を行うシステムとして構成されている。携帯電話機１は、通信部２０、通信制御部２１、表示部２２、入力部２３、カメラ部２４、画像処理部２５、アンテナ２６、電話回線・通信部２７、音声処理部２８、ＣＰＵ２９、メモリ３３を備えている。メッセージボード４は、表示部２０１、表示制御部２０２、画像処理部２１２、電源部２１３、通信部２１４、通信制御部２１５、フォント記憶部２１６、メッセージ用予測辞書記憶部２０３、画像記憶部２１９を備えている。
【００８４】
携帯電話機１の各部の構成は、上述した第１の実施の形態と同様であり、説明を省略する。メッセージボード４の画像処理部２１２〜画像記憶部２１９は、上述した第１の実施の形態のプリンタ２の対応する各部と同様であり、説明を省略する。表示部２０１は、例えばＬＣＤ（Liquid Crystal Display）から構成されており、表示制御部２０２の制御により、図１２に示すようなメッセージを表示する。メッセージ用予測辞書記憶部２０３は、メッセージ用予測辞書を記憶している。
【００８５】
ユーザが携帯電話機１を介してメッセージボード４に伝言用のメッセージを表示するため、携帯電話機１の入力部２３によりメッセージボード４への入力を選択する。これにより、メッセージボード４のメッセージ用予測辞書記憶部２０３に記憶されているメッセージ用予測辞書が通信部２１４により携帯電話機１に送信される。携帯電話機１のＣＰＵ２９は、メッセージボード４から送信されたメッセージ用予測辞書を通信部２０により受信し、メモリ３３の外部入力予測辞書３８に記憶する。
【００８６】
図１２は、メッセージボードを内蔵した冷蔵庫の例を示す図である。
【００８７】
図１２において、例えば冷蔵庫２００の前面側には、メッセージボード４が配設されている。メッセージボード４の表示部２０１には、携帯電話機１から入力され送信された例えば家族間の伝言を示すメッセージが表示されている。
【００８８】
メッセージボード４の表示部２０１に表示するメッセージを携帯電話機１で入力する際の例として、伝言宛先の“おかあさんへ”を選択する手順を説明する。ユーザが携帯電話機１において入力部２３によりメッセージ入力モードを選択すると、表示部２２は図１３に示すような表示となる。
【００８９】
図１３は、メッセージボードに対するコメント入力時の表示内容を示す図である。
【００９０】
図１３において、携帯電話機１のＣＰＵ２９は、ユーザがメッセージボード４に表示する文章を携帯電話機１で入力する際、まだ何もキーを押さない状態で、メッセージ用予測辞書の予測単語・予測文節を表示部２２の予測辞書表示画面２１０に表示している。この表示状態で、ユーザが携帯電話機１の入力部２３の予測候補キー５３を押すと、予測辞書表示画面２１０の“おとうさんへ”が白黒反転表示となる。続いて、ユーザがカーソルキー５２を押すことで、“おかあさんへ”を選択する。更に、ユーザが決定キー５４を押すことで、“おかあさんへ“の文節が本文表示画面２１１に表示される。
【００９１】
本実施の形態は、ユーザが携帯電話機１においてメッセージ入力モードを選択することで、まだ入力部２３から文章入力に関わる入力を行わない（キーを押さない）状態で、メッセージ用予測辞書を携帯電話機１の表示部２２の予測辞書表示画面２１０に表示していることも特徴の一つである。
【００９２】
以上説明したように、本実施の形態によれば、携帯電話機でメッセージボードに表示する文章の入力を行う際に、メッセージ用予測辞書をメッセージボードから取得して文章入力を行うので、従来のように作成する文章の参考になる単語や文節が即座に出てこないという不具合を解消できる。これにより、文章入力の際のキー入力回数を低減することが可能となり、操作性を向上させることが可能となる。
【００９３】
［第３の実施の形態］
本発明の第３の実施の形態は、上述した第１の実施の形態に対して、プリンタが電子アルバム印刷用予測辞書記憶部１７、絵葉書用予測辞書記憶部１８を備える代わりに、風景画用予測辞書記憶部３０１、人物画用予測辞書記憶部３０２を備え、更に画像認識部３０３を備える点において相違する。本実施の形態のその他の要素は、上述した第１の実施の形態の対応するものと同一なので、説明を省略する。
【００９４】
図１４は、本実施の形態に係る情報処理システムの構成を示すブロック図である。
【００９５】
図１４において、情報処理システムは、携帯電話機１とプリンタ２とがBluetooth（登録商標）規格に基づいた無線通信を行うシステムとして構成されている。携帯電話機１は、通信部２０、通信制御部２１、表示部２２、入力部２３、カメラ部２４、画像処理部２５、アンテナ２６、電話回線・通信部２７、音声処理部２８、ＣＰＵ２９、メモリ３３を備えている。プリンタ２は、プリントエンジン１０、印刷制御部１１、印刷画像処理部１２、電源部１３、通信部１４、通信制御部１５、フォント記憶部１６、風景画用予測辞書記憶部３０１、人物画用予測辞書記憶部３０２、画像記憶部１９、画像認識部３０３を備えている。
【００９６】
携帯電話機１の各部の構成は、上述した第１の実施の形態と同様であり、説明を省略する。プリンタ２のプリントエンジン１０〜画像記憶部１９は、上述した第１の実施の形態と同様であり、説明を省略する。風景画用予測辞書記憶部３０１は、風景画用予測辞書を記憶している。人物画用予測辞書記憶部３０２は、人物画用予測辞書を記憶している。画像認識部３０３は、携帯電話機１から受信した画像が風景画であるか人物画であるかを、形状抽出等の方法を用いて判断する。
【００９７】
プリンタ２は、画像認識部３０３の判断結果に基づき、風景画用予測辞書記憶部３０１に記憶された風景画用予測辞書または人物画用予測辞書記憶部３０２に記憶された人物画用予測辞書を携帯電話機１に送信する。携帯電話機１のＣＰＵ２９は、プリンタ２から送信された風景画用予測辞書または人物画用予測辞書を外部入力予測辞書３８に格納する。これにより、携帯電話機１では、画像に関連する文章を、プリンタ２から入手した予測辞書に基づき入力することができる。
【００９８】
図１５及び図１６は、携帯電話機及びプリンタにおける処理の流れを示すフローチャートである。
【００９９】
図１５及び図１６において、左側のステップＳ１０１〜ステップＳ１１２の処理が携帯電話機１で実行される処理を示し、右側のステップＳ１２１〜ステップＳ２６３の処理がプリンタ２で実行される処理を示す。また、左側のステップと右側のステップとの間に図示した破線は携帯電話機及びプリンタ間の通信を示す。なお、図９及び図１０と共通する処理については説明を簡略化する。
【０１００】
ユーザが携帯電話機１のシャッタ５５を押すことによりカメラ部２４で被写体の写真撮影を行うと、携帯電話機１のＣＰＵ２９は、カメラ部２４により光電変換された撮像データに対し画像処理部２５により画像処理を行い、メモリ３３の画像記憶部３６に画像データとして記憶する（ステップＳ１０１）。次に、携帯電話機１のＣＰＵ２９は、画像データを無線通信規格の一つであるBluetooth規格で通信部２０によりプリンタ２に送信する（ステップＳ１０２）。
【０１０１】
プリンタ２は、携帯電話機１から送信された画像データを通信部１４により受信し（ステップＳ１２１）、画像記憶部１９に記憶する（ステップＳ１２２）。次のステップＳ２５３〜ステップＳ２５７は、本実施の形態に固有の処理手順である。プリンタ２は、画像認識部３０３により撮影画像の画像認識処理を行い、風景画か人物画かを区別する（ステップＳ２５３）。画像認識処理では、撮影画像の中央部を含め画像全体の人物の面積を基に風景画か人物画かを判定する方法や、肌色画像の面積を基に風景画か人物画かを判定する方法などを用いる。
【０１０２】
なお、本実施の形態では、画像認識部３０３において風景画と人物画を区別する画像認識を行っているが、風景画や人物画以外の画像（例えば乗り物に関する画像やペットに関する画像）を区別する画像認識を行ってもよい。また、画像認識部３０３の画像認識における学習機能（上述した、風景画、人物画、乗り物に関する画像、ペットに関する画像等の画像認識結果を学習する機能）を備えてもよい。
【０１０３】
プリンタ２は、画像認識部３０３による画像認識処理により撮影画像が風景画であると認識した場合は、印刷モードを風景画印刷モードに決定し、撮影画像が人物画であると認識した場合は、印刷モードを人物画印刷モードに決定する（ステップＳ２５４）。プリンタ２は、風景画印刷モードに決定した場合は、ステップＳ２５６の処理を行い、人物画印刷モードに決定した場合は、ステップＳ２５７の処理を行う（ステップＳ２５５）。
【０１０４】
プリンタ２は、風景画印刷モードの場合は、風景画用予測辞書記憶部３０１に記憶されている風景画用予測辞書を通信部１４により携帯電話機１に送信する（ステップＳ２５６）。他方、プリンタ２は、人物画印刷モードの場合は、人物画用予測辞書記憶部３０２に記憶されている人物画用予測辞書を通信部１４により携帯電話機１に送信する（ステップＳ２５７）。
【０１０５】
携帯電話機１のＣＰＵ２９は、プリンタ２から送信された風景画用予測辞書または人物画用予測辞書を通信部２０により受信すると（ステップＳ１０６）、受信した風景画用予測辞書または人物画用予測辞書をメモリ３３の外部入力予測辞書３８に記憶する（ステップＳ１０７）。次に、携帯電話機１のＣＰＵ２９は、上述した第１の実施の形態と同様に、予測辞書に従った文章入力を促し（ステップＳ１０８）、文章入力終了を判別し（ステップＳ１０９）、入力情報（文章）を通信部２０によりプリンタ２に送信する（ステップＳ１１０）。
【０１０６】
プリンタ２は、入力情報（文章）を通信部２０により受信し（ステップＳ１２８）、画像レイアウトや合成処理を行い、プリントエンジン１０で印刷を実行する（ステップＳ１２９）。
【０１０７】
携帯電話機１のＣＰＵ２９は、文章入力時に用いた単語や文節を参考にして学習処理を行い、メモリ３３の外部入力予測辞書３８の記憶内容を修正し（ステップＳ１１１）、外部入力予測辞書３８の修正した記憶内容を通信部２０によりプリンタ２に送信する（ステップＳ１１２）。
【０１０８】
プリンタ２は、外部入力予測辞書３８の修正した記憶内容を通信部１４により受信し（ステップＳ１３０）、上記ステップ１２９で実行した印刷モードが風景画印刷モードか人物画印刷モードかを判別する（ステップＳ１３１）。プリンタ２は、風景画印刷モードであると判断した場合は、外部入力予測辞書３８の修正した記憶内容を風景画用予測辞書記憶部３０１に記憶する（ステップＳ２６２）。他方、プリンタ２は、人物画印刷モードであると判断した場合は、外部入力予測辞書３８の修正した記憶内容を人物画用予測辞書記憶部３０２に記憶する（ステップＳ２６３）。
【０１０９】
以上説明したように、本実施の形態によれば、携帯電話機で撮影した画像をプリンタで印刷する場合に、撮影画像の種類（風景画、人物画等）に対応した予測辞書をプリンタから取得して撮影画像と合成することが可能となり、ユーザの嗜好を満足することが可能となる。
【０１１０】
［第４の実施の形態］
本発明の第４の実施の形態は、上述した第１の実施の形態に対して、プリンタが電子アルバム印刷用予測辞書記憶部１７、絵葉書用予測辞書記憶部１８を備える代わりに、乗り物用背景画像記憶部４０１、人物画用背景画像記憶部４０２を備え、更に画像認識部４０３を備える点において相違する。本実施の形態のその他の要素は、上述した第１の実施の形態の対応するものと同一なので、説明を省略する。
【０１１１】
図１７は、本実施の形態に係るプリンタの構成を示すブロック図である。
【０１１２】
図１７において、プリンタ２は、プリントエンジン１０、印刷制御部１１、印刷画像処理部１２、電源部１３、通信部１４、通信制御部１５、フォント記憶部１６、乗り物用背景画像記憶部４０１、人物画用背景画像記憶部４０２、画像記憶部１９、画像認識部４０３を備えている。
【０１１３】
プリントエンジン１０〜画像記憶部１９は、上述した第１の実施の形態と同様であり、説明を省略する。乗り物用背景画像記憶部４０１は、複数の乗り物用背景画像の縮小画像（サムネイル）を記憶している。人物画用背景画像記憶部４０２は、複数の人物画用背景画像の縮小画像を記憶している。画像認識部４０３は、携帯電話機１から受信した写真画像の認識処理を行う。
【０１１４】
プリンタ２は、携帯電話機１から写真画像を通信部１４により受信すると、画像認識部４０３により、受信した写真画像がどのような写真画像であるかを形状抽出等の方法を用いて認識する。プリンタ２は、画像認識部４０３により写真画像が乗り物写真画像であると認識した場合は、乗り物用背景画像記憶部４０１に記憶されている複数の乗り物用背景画像の縮小画像を選択する。他方、プリンタ２は、画像認識部４０３により写真画像が人物写真画像であると認識した場合は、人物画用背景画像記憶部４０２に記憶されている複数の人物用背景画像の縮小画像を選択する。
【０１１５】
プリンタ２は、選択した複数の乗り物用背景画像の縮小画像または複数の人物用背景画像の縮小画像を、Bluetooth（登録商標）通信規格で通信部１４により携帯電話機１に送信する。
【０１１６】
携帯電話機１のＣＰＵ２９は、プリンタ２から送信された複数の乗り物用背景画像の縮小画像または複数の人物用背景画像の縮小画像を通信部２０により受信し、メモリ３３に記憶すると共に、ユーザの操作に基づき表示部２２に表示する。これにより、ユーザは携帯電話機１において所望の乗り物用背景画像または人物用背景画像を選択することができる。
【０１１７】
なお、携帯電話機１は、プリンタ２から送信された背景画像を撮影画像に合成して生成した画像データと、ユーザによる文章入力により得た文章データをプリンタ２に送信する。これにより、プリンタ２は、携帯電話機１から送信された画像データと文章データを例えば電子アルバム形式または絵葉書形式で印刷することができる。
【０１１８】
以上説明したように、本実施の形態によれば、携帯電話機で撮影した画像をプリンタで印刷する場合に、撮影画像に付加する背景画像をプリンタから取得して撮影画像と合成することが可能となり、ユーザの嗜好を満足することが可能となる。
【０１１９】
［第５の実施の形態］
本発明の第５の実施の形態は、上述した第１の実施の形態に対して、プリンタが電子アルバム印刷用予測辞書記憶部１７、絵葉書用予測辞書記憶部１８を備える代わりに、操作者Ａ用テンプレート・予測辞書記憶部５０１、操作者Ｂ用テンプレート・予測辞書記憶部５０２を備え、更にメール番号認識部５０３を備える点において相違する。本実施の形態のその他の要素は、上述した第１の実施の形態の対応するものと同一なので、説明を省略する。
【０１２０】
図１８は、本実施の形態に係るプリンタの構成を示すブロック図である。
【０１２１】
図１８において、プリンタ２は、プリントエンジン１０、印刷制御部１１、印刷画像処理部１２、電源部１３、通信部１４、通信制御部１５、フォント記憶部１６、操作者Ａ用テンプレート・予測辞書記憶部５０１、操作者Ｂ用テンプレート・予測辞書記憶部５０２、画像記憶部１９、メール番号認識部５０３を備えている。
【０１２２】
プリントエンジン１０〜画像記憶部１９は、上述した第１の実施の形態と同様であり、説明を省略する。操作者Ａ用テンプレート・予測辞書記憶部５０１は、操作者Ａ用の複数のテンプレートと予測辞書を記憶している。操作者Ｂ用テンプレート・予測辞書記憶部５０２は、操作者Ｂ用の複数のテンプレートと予測辞書を記憶している。ここで、操作者Ａ用テンプレート、操作者Ｂ用テンプレートは、過去に使用した額縁等のテンプレートや、過去に文章を作成したときに使用した文節から作成された個人用のテンプレートである。メール番号認識部５０３は、携帯電話機１から受信した電子メールアドレス（メール番号）の認識処理を行う。
【０１２３】
プリンタ２は、携帯電話機１から写真画像と共に電子メールアドレスを通信部１４により受信すると、メール番号認識部５０３により電子メールアドレスを認識する。プリンタ２は、電子メールアドレスの認識結果に基づき、操作者Ａ用テンプレート・予測辞書記憶部５０１もしくは操作者Ｂ用テンプレート・予測辞書記憶部５０２に記憶されている、複数のテンプレートの縮小画像（サムネイル）と予測辞書を選択する。
【０１２４】
プリンタ２は、選択した複数のテンプレートの縮小画像及び予測辞書を、Bluetooth（登録商標）通信規格で通信部１４により携帯電話機１に送信する。
【０１２５】
携帯電話機１のＣＰＵ２９は、プリンタ２から送信された複数のテンプレートの縮小画像及び予測辞書を通信部２０により受信し、メモリ３３に記憶すると共に、ユーザの操作に基づき表示部２２に表示する。これにより、ユーザは携帯電話機１でテンプレート画像を選択することができる。また、ユーザは携帯電話機１でプリンタ２から受信した予測辞書を使用した文章入力を行うことができる。
【０１２６】
なお、携帯電話機１は、プリンタ２から送信されたテンプレート画像を撮影画像に合成して生成した画像データと、ユーザによる文章入力により得た文章データをプリンタ２に送信する。これにより、プリンタ２は、携帯電話機１から送信された画像データと文章データを例えば電子アルバム形式または絵葉書形式で印刷することができる。
【０１２７】
以上説明したように、本実施の形態によれば、携帯電話機で撮影した画像をプリンタで印刷する場合に、撮影画像に付加する文章作成用の予測辞書やテンプレートをプリンタから取得して撮影画像と合成することが可能となり、ユーザの嗜好を満足することが可能となる。
【０１２８】
［他の実施の形態］
上記第１乃至第５の実施の形態では、携帯端末装置として携帯電話機を用いた場合を例に挙げたが、デジタルカメラや携帯情報端末（ＰＤＡ：Personal Digital Assistant）を用いてもよい。
【０１２９】
上記第１乃至第５の実施の形態では、携帯電話機及びプリンタ（携帯電話機及びメッセージボード）間の通信をBluetooth（登録商標）規格による無線通信で行う場合を例に挙げたが、無線ＬＡＮによる無線通信、ＵＷＢ（Ultra Wide Band）規格の無線通信、ＵＳＢ規格の有線通信等を用いてもよい。
【０１３０】
上記第１の実施の形態では、プリンタにメール用予測辞書、外部入力用予測辞書を記憶する場合を例に挙げたが、ネットワーク経由でサーバに上記予測辞書を記憶するようにしてもよい。
【０１３１】
上記第２の実施の形態では、冷蔵庫にメッセージボードを内蔵し、家族間の伝言を表示可能とした場合を例に挙げたが、メッセージボードを電子レンジや家屋内外のドア等に内蔵してもよい。また、メッセージボードを設置対象（冷蔵庫、電子レンジ、ドア）に着脱可能としてもよい。また、メッセージボードにメッセージを表示する代わりにテレビ受像機の画面にメッセージを表示するようにしてもよく、ラジオに音声合成機能を装備してメッセージを音声出力するようにしてもよい。
【０１３２】
上記第２の実施の形態では、携帯電話機及びメッセージボード間の通信をBluetooth規格（登録商標）による無線通信で行う場合を例に挙げたが、無線ＬＡＮによる無線通信、ＵＷＢ規格の無線通信、ＵＳＢ規格の有線通信等を用いてもよい。
【０１３３】
上記第３の実施の形態では、プリンタにおける画像認識結果により人物画用予測辞書または風景画用予測辞書を携帯電話機に送信し、携帯電話機で記憶する場合を例に挙げたが、第１の実施の形態と組み合わせ、電子アルバム印刷時の風景画用予測辞書と絵葉書印刷時の風景画用予測辞書を区別して記憶できるようにしてもよい。
【０１３４】
上記第１及び第３の実施の形態では、携帯電話機による撮影画像を画像処理した画像データをプリンタに送信する場合を例に挙げたが、電子メールに添付された画像データや、インターネット上のＷｅｂサーバから取得した画像データをプリンタに送信するようにしてもよい。また、デジタルテレビのリモコンの操作により、放送中の画像データをプリンタに送信するようにしてもよい。
【０１３５】
上記第４の実施の形態では、第１乃至第３の実施の形態と組み合わせて、予測辞書などをプリンタに記憶するようにしてもよい。
【０１３６】
上記第５の実施の形態では、第１乃至第４の実施の形態と組み合わせて、プリンタで記憶している予測辞書、背景画像、テンプレートを携帯電話機から選択できるようにしてもよい。また、プリンタで携帯電話機から送信された画像に対し画像認識処理を施してもよい。
【０１３７】
上記第５の実施の形態では、プリンタに操作者Ａ用と操作者Ｂ用の２つのテンプレート・予測辞書記憶部を配設した場合を例に挙げたが、テンプレート・予測辞書記憶部の配設数は任意である。
【０１３８】
上記第１乃至第５の実施の形態の他に考えられる実施の形態としては、例えば、サーバに懸賞入力画面と予測辞書を記憶し、懸賞入力画面をネットワーク経由で携帯電話機に送信する際に予測辞書も一緒に送信するような形態が考えられる。
【０１３９】
また、本発明の目的は、実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出して実行することによっても達成される。
【０１４０】
この場合、記憶媒体から読み出されたプログラムコード自体が上述した実施の形態の機能を実現することになり、そのプログラムコード及び該プログラムコードを記憶した記憶媒体は本発明を構成することになる。
【０１４１】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。または、プログラムコードをネットワークを介してダウンロードしてもよい。
【０１４２】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部または全部を行い、その処理によって上述した実施形態の機能が実現される場合も含まれる。
【０１４３】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって上述した実施形態の機能が実現される場合も含まれる。
【０１４４】
また、コンピュータが読み出したプログラムコードを実行することにより、上述した各実施の形態の機能が実現されるだけでなく、そのプログラムコードの指示に基づき、コンピュータ上で稼働しているＯＳなどが実際の処理の一部または全部を行い、その処理によって上述した各実施の形態の機能が実現される場合も、本発明に含まれることは言うまでもない。
【０１４５】
この場合、上記プログラムは、該プログラムを記憶した記憶媒体から直接、又はインターネット、商用ネットワーク、若しくはローカルエリアネットワーク等に接続された不図示の他のコンピュータやデータベース等からダウンロードすることにより供給される。
【０１４６】
上記プログラムの形態は、オブジェクトコード、インタプリタにより実行されるプログラムコード、ＯＳ（オペレーティングシステム）に供給されるスクリプトデータ等の形態から成ってもよい。
【図面の簡単な説明】
【０１４７】
【図１】本発明の第１の実施の形態に係る情報処理装置としての携帯電話機の使用例を示す概略図である。
【図２】情報処理システムの構成を示すブロック図である。
【図３】携帯電話機機の外観を示す図である。
【図４】電子アルバム印刷時の印刷例を示す図である。
【図５】絵葉書印刷時の印刷例を示す図である。
【図６】携帯電話機で電子メールを作成する際の表示内容を示す図である。
【図７】電子アルバム印刷・コメント入力時の表示内容を示す図である。
【図８】絵葉書印刷・コメント入力時の表示内容を示す図である。
【図９】携帯電話機及びプリンタにおける処理の流れを示すフローチャートである。
【図１０】図９のフローチャートの続きである。
【図１１】本発明の第２の実施の形態に係る情報処理システムの構成を示すブロック図である。
【図１２】メッセージボードを内蔵した冷蔵庫の例を示す図である。
【図１３】メッセージボードに対するコメント入力時の表示内容を示す図である。
【図１４】本発明の第３の実施の形態に係る情報処理システムの構成を示すブロック図である。
【図１５】携帯電話機及びプリンタにおける処理の流れを示すフローチャートである。
【図１６】図１５のフローチャートの続きである。
【図１７】本発明の第４の実施の形態に係るプリンタの構成を示すブロック図である。
【図１８】本発明の第５の実施の形態に係るプリンタの構成を示すブロック図である。
【符号の説明】
【０１４８】
１  プリンタ（外部の情報処理装置）
２  携帯電話機（情報処理装置）
４  メッセージボード（外部の情報処理装置）
１７  電子アルバム印刷用予測辞書記憶部（格納手段）
１８  絵葉書用予測辞書記憶部（格納手段）
２２  表示部（表示手段）
２３  入力部（編集手段）
２４  カメラ部（撮像手段）
２９  ＣＰＵ（取得手段、編集手段、学習処理手段、転送手段、表示制御手段）
３８  外部入力予測辞書（記憶手段）
２０３  メッセージ用予測辞書記憶部（格納手段）
３０１  風景画用予測辞書記憶部（格納手段）
３０２  人物画用予測辞書記憶部（格納手段）
３０３  画像認識部（画像認識手段）
４０１  乗り物用背景画像記憶部（格納手段）
４０２  人物画用背景画像記憶部（格納手段）
４０３  画像認識部（画像認識手段）
５０１  操作者Ａ用テンプレート・予測辞書記憶部（格納手段）
５０２  操作者Ｂテンプレート・予測辞書記憶部（格納手段）
５０３  メール番号認識部（番号認識手段）
【図１】
2006313435.tif 000003
【図２】
2006313435.tif 000004
【図３】
2006313435.tif 000005
【図４】
2006313435.tif 000006
【図５】
2006313435.tif 000007
【図６】
2006313435.tif 000008
【図７】
2006313435.tif 000009
【図８】
2006313435.tif 000010
【図９】
2006313435.tif 000011
【図１０】
2006313435.tif 000012
【図１１】
2006313435.tif 000013
【図１２】
2006313435.tif 000014
【図１３】
2006313435.tif 000015
【図１４】
2006313435.tif 000016
【図１５】
2006313435.tif 000017
【図１６】
2006313435.tif 000018
【図１７】
2006313435.tif 000019
【図１８】
2006313435.tif 000020